【手続補正書】
【提出日】平成24年1月23日(2012.1.23)
【手続補正１】
【補正対象書類名】明細書
【補正対象項目名】発明の名称
【補正方法】変更
【補正の内容】
【発明の名称】画像供給装置、画像要求装置、画像通信システム、制御方法、及びプログラム
【手続補正２】
【補正対象書類名】明細書
【補正対象項目名】０００１
【補正方法】変更
【補正の内容】
【０００１】
本発明は、撮像装置で撮像された画像データの送受信を行う場合に適用可能な画像供給装置、画像要求装置、画像通信システム、制御方法、及びプログラムに関する。
【手続補正３】
【補正対象書類名】明細書
【補正対象項目名】０００７
【補正方法】変更
【補正の内容】
【０００７】
本発明の目的は、画像供給装置が有する大量の画像から画像要求装置が所望する画像を選別して画像要求装置に送信することを可能とした画像供給装置、画像要求装置、画像通信システム、制御方法、及びプログラムを提供することにある。
【手続補正４】
【補正対象書類名】明細書
【補正対象項目名】０００８
【補正方法】変更
【補正の内容】
【０００８】
上記目的を達成するために、本発明の画像供給装置は、外部装置と通信可能な画像供給装置であって、前記外部装置から、被写体認識情報と送信先情報を含む被写体要求情報を受信する受信手段と、前記受信手段により受信した被写体要求情報を記憶媒体に記憶する記憶手段と、前記被写体要求情報を受信した後に取得された画像に含まれる被写体が、前記記憶媒体に記憶された前記被写体認識情報が示す被写体に対応するか否かを判断することで被写体認識を行う判断手段と、前記判断手段により前記画像に含まれる被写体が前記被写体認識情報が示す被写体に対応すると判断された場合、前記画像を前記送信先情報で示される画像要求装置に送信する送信手段と、を備えることを特徴とする。
【手続補正５】
【補正対象書類名】明細書
【補正対象項目名】０００９
【補正方法】変更
【補正の内容】
【０００９】
上記目的を達成するために、本発明の画像要求装置は、被写体認識情報と送信先情報を関連付けた被写体要求情報を画像供給装置に送信する通信手段と、前記通信手段により前記被写体要求情報を前記画像供給装置に送信した後、前記画像供給装置から送信される画像を受信する受信モードに移行する移行手段と、前記受信モードにおいて、前記画像供給装置が有する画像のうち、前記被写体認識情報が示す被写体に対応する画像を受信する受信手段と、を備えることを特徴とする。
【手続補正６】
【補正対象書類名】明細書
【補正対象項目名】００１０
【補正方法】変更
【補正の内容】
【００１０】
本発明によれば、画像供給装置が大量の画像を有する場合であっても、大量の画像から画像要求装置が所望する画像を選別して画像要求装置に送信することが可能となる。
【手続補正７】
【補正対象書類名】明細書
【補正対象項目名】００１９
【補正方法】変更
【補正の内容】
【００１９】
また、本実施の形態では、図１に示した構成を有する２台の撮像装置が無線通信を行う画像通信システムを例に挙げるものとする。２台のうち一方の撮像装置が画像を要求する側の装置（以下「画像要求側装置」（本発明の画像要求装置））となり、他方の撮像装置が画像要求側の要求に応じて画像を供給する側の装置（以下「画像供給側装置」（本発明の画像供給装置））となる。尚、画像要求側装置においてカメラ部は必ずしも備わっている必要はなく、撮像装置以外の装置でもよい。
【手続補正８】
【補正対象書類名】明細書
【補正対象項目名】００２８
【補正方法】変更
【補正の内容】
【００２８】
図４は、画像供給側装置に対するＰＨＯＴＯリクエスト情報の送信中に画像要求側装置に表示される画面を示す図である。図４において、画像要求側装置では、ＰＨＯＴＯリクエスト情報の送信中に画面４００をＬＣＤ部１１２に表示する。画面４００には、ＰＨＯＴＯリクエスト情報の送信の進捗がバー４０１により表示される。ユーザはバー４０１の表示を見ることで、あとどのくらいの時間、画像供給側装置（相手機）との接続を保持しなければならないかを認識することができる。
【手続補正９】
【補正対象書類名】明細書
【補正対象項目名】００３２
【補正方法】変更
【補正の内容】
【００３２】
図６において、画像供給側装置では、ＰＨＯＴＯリクエスト情報を受信した場合に、ＰＨＯＴＯリクエスト受付画面６００をＬＣＤ部１１２に表示する。これにより、ＰＨＯＴＯリクエストを受け付けるか否かをユーザに選択させる。ＰＨＯＴＯリクエスト受付画面６００でユーザによりＯＫボタン６０１が選択されると、画像供給側装置は画像要求側装置に対し送信を許可する旨の信号を送信する。他方、ＰＨＯＴＯリクエスト受付画面６００でユーザによりキャンセルボタン６０２が選択されると、画像供給側装置は画像要求側装置に対し何も送信しない。
【手続補正１０】
【補正対象書類名】明細書
【補正対象項目名】００３３
【補正方法】変更
【補正の内容】
【００３３】
図７は、画像供給側装置からＰＨＯＴＯリクエストを拒否された場合に画像要求側装置に表示されるエラー画面を示す図である。  図７において、画像要求側装置では、ＰＨＯＴＯリクエストを拒否された場合（ＰＨＯＴＯリクエスト情報を送信した後、画像供給側装置から許可する旨の信号が一定時間以上送信されない場合）に、エラー画面７００をＬＣＤ部１１２に表示する。これにより、ユーザはエラー画面７００の中止ボタン７０１または再開ボタン７０２の選択により、ＰＨＯＴＯリクエスト情報の送信を中止するかＰＨＯＴＯリクエスト情報を再度送信するかを選択することができる。
【手続補正１１】
【補正対象書類名】明細書
【補正対象項目名】００７３
【補正方法】変更
【補正の内容】
【００７３】
図１８は、画像供給側装置が送信対象リストに登録された画像情報を画像要求側装置に送信した後で実行するＰＨＯＴＯリクエスト終了処理を示すフローチャートである。  図１８において、画像供給側装置のＣＰＵ１０２は、本処理を開始すると（ステップＳ１８１）、ＰＨＯＴＯリクエスト実行処理が終了したかどうかを判別する（ステップＳ１８２）。ＰＨＯＴＯリクエスト実行処理が終了していない場合は、本処理を終了する（ステップＳ１８４）。他方、ＰＨＯＴＯリクエスト実行処理が終了している場合は、画像供給側装置のＣＰＵ１０２は、ＰＨＯＴＯリクエスト実行処理を終了したＰＨＯＴＯリクエスト情報を消去する（ステップＳ１８３）。これにより、本処理を終了する（ステップＳ１８４）。
【手続補正１２】
【補正対象書類名】特許請求の範囲
【補正対象項目名】全文
【補正方法】変更
【補正の内容】
【特許請求の範囲】
【請求項１】
外部装置と通信可能な画像供給装置であって、
前記外部装置から、被写体認識情報と送信先情報を含む被写体要求情報を受信する受信手段と、
前記受信手段により受信した被写体要求情報を記憶媒体に記憶する記憶手段と、  前記被写体要求情報を受信した後に取得された画像に含まれる被写体が、前記記憶媒体に記憶された前記被写体認識情報が示す被写体に対応するか否かを判断することで被写体認識を行う判断手段と、
前記判断手段により前記画像に含まれる被写体が前記被写体認識情報が示す被写体に対応すると判断された場合、前記画像を前記送信先情報で示される画像要求装置に送信する送信手段と、
を備えることを特徴とする画像供給装置。
【請求項２】
前記判断手段による被写体認識とは、前記画像に含まれる被写体の顔認識もしくは音声認識を行う処理であることを特徴とする請求項１記載の画像供給装置。
【請求項３】
前記送信先情報は、前記画像供給装置と前記画像要求装置との間の無線通信に用いる無線ＩＤもしくは暗号鍵からなる無線パラメータ、前記画像要求装置を識別する識別ＩＤを含むことを特徴とする請求項１または２に記載の画像供給装置。
【請求項４】
前記記憶手段は、前記送信先情報と複数の前記被写体認識情報とを関連付けて前記記憶媒体に記憶することが可能であることを特徴とする請求項１乃至３のいずれか１項に記載の画像供給装置。
【請求項５】
前記送信手段は、前記送信先情報で示される画像要求装置に対する送信が可能となった状態で前記画像の送信を行うことを特徴とする請求項１乃至４のいずれか１項に記載の画像供給装置。
【請求項６】
前記送信先情報で示される画像要求装置に対する送信が可能となった状態とは、該画像要求装置と通信可能な接続状態であることに加え、該画像要求装置と前記送信先情報とが適合している状態であることを特徴とする請求項５記載の画像供給装置。
【請求項７】
前記送信手段による前記画像の送信が終了した後、前記判断手段は被写体認識を行わず、前記記憶手段は前記記憶媒体に記憶されている被写体要求情報を消去することを特徴とする請求項１乃至６のいずれか１項に記載の画像供給装置。
【請求項８】
前記画像の送信の終了は、前記画像供給装置で保持している画像のうち送信対象となっている画像の全てに対して送信が行われたか否かに基づき決定されることを特徴とする請求項７記載の画像供給装置。
【請求項９】
前記送信手段による送信の対象を示すリストを生成する生成手段をさらに備え、
前記判断手段により、前記画像に含まれる被写体が前記被写体認識情報が示す被写体に対応すると判断された場合、前記画像を前記リストに登録することを特徴とする請求項１乃至８のいずれか１項に記載の画像供給装置。
【請求項１０】
前記生成手段は、前記リストを前記送信先情報ごとに生成することを特徴とする請求項９に記載の画像供給装置。
【請求項１１】
被写体認識情報と送信先情報を関連付けた被写体要求情報を画像供給装置に送信する通信手段と、
前記通信手段により前記被写体要求情報を前記画像供給装置に送信した後、前記画像供給装置から送信される画像を受信する受信モードに移行する移行手段と、
前記受信モードにおいて、前記画像供給装置が有する画像のうち、前記被写体認識情報が示す被写体に対応する画像を受信する受信手段と、
を備えることを特徴とする画像要求装置。
【請求項１２】
前記移行手段は、前記通信手段により前記被写体要求情報を前記画像供給装置に送信した後、前記受信モードに自動的に移行することを特徴とする請求項１１記載の画像要求装置。
【請求項１３】
請求項１乃至１０のいずれか１項に記載の画像供給装置と請求項１１乃至１２のいずれか１項に記載の画像要求装置とを備えることを特徴とする画像通信システム。
【請求項１４】
外部と通信可能な画像供給装置の制御方法であって、
前記外部装置から、被写体認識情報と送信先情報を含む被写体要求情報を受信する受信ステップと、
前記受信ステップにより受信した被写体要求情報を記憶媒体に記憶する記憶ステップと、前記被写体要求情報を受信した後に取得された画像に含まれる被写体が、前記記憶媒体に記憶された前記被写体認識情報が示す被写体に対応するか否かを判断することで被写体認識を行う判断ステップと、
前記判断ステップにより前記画像に含まれる被写体が前記被写体認識情報が示す被写体に対応すると判断された場合、前記画像を前記送信先情報で示される画像要求装置に送信する送信ステップと、
を有することを特徴とする制御方法。
【請求項１５】
外部と通信可能な画像要求装置の制御方法であって、
被写体認識情報と送信先情報を関連付けた被写体要求情報を画像供給装置に送信する通信ステップと、
前記通信ステップにより前記被写体要求情報を前記画像供給装置に送信した後、前記画像供給装置から送信される画像を受信する受信モードに移行する移行ステップと、
前記受信モードにおいて、前記画像供給装置が有する画像のうち、前記被写体認識情報が示す被写体に対応する画像を受信する受信ステップと、
を有することを特徴とする制御方法。
【請求項１６】
請求項１４に記載の画像供給装置の制御方法をコンピュータに実行させるためのコンピュータで読み取り可能なプログラムコードを有するプログラム。
【請求項１７】
請求項１５に記載の画像要求装置の制御方法をコンピュータに実行させるためのコンピュータで読み取り可能なプログラムコードを有するプログラム。
【手続補正１３】
【補正対象書類名】図面
【補正対象項目名】図１
【補正方法】変更
【補正の内容】
【図１】
2010171586.tif 000001